(57)【要約】【課題】劇場等に用いられ、床下空調等床下設備と併用する観客席システムにおいて、床下空調の吹出し口等、床下設備の効果的な配置を可能にする。【解決手段】間欠的に複数設けられ、床体に固定して取り付けられる支柱１に椅子本体２の両側端部を支持させる構成を有する第１の椅子と、間欠的に設けられる複数の支柱３と、前記支柱３に両側端部を支持される椅子本体２と、前記椅子本体２の下方に幅方向に延伸して設けられる横架材４と、床面から起立して設けられ前記横架材４を支持する脚５とを具備し、該横架材４により前記支柱３を支持し、前記支柱３を前記横架材４に載置した状態で該支柱３の取り付けを行う構成を有する第２の椅子とを併用する。【選択図】図１
2004166928.tif 000002
【特許請求の範囲】
【請求項１】
間欠的に複数設けられ床体に固定して取り付けられる支柱に椅子本体の両側端部を支持させる構成を有する第１の椅子と、
間欠的に設けられる複数の支柱と、前記支柱に両側端部を支持される椅子本体と、前記椅子本体の下方に幅方向に延伸して設けられる横架材と、床面から起立して設けられ前記横架材を支持する脚とを具備し、該横架材により前記支柱を支持し、前記支柱を前記横架材に載置した状態で該支柱の取り付けを行う構成を有する第２の椅子とを併用することを特徴とする観客席システム。
【請求項２】
前記第１の椅子の支柱が、その下端に床体に支持される部位である接地部を具備するとともに、前記第２の椅子の支柱が、その下端に前記横架材に支持される部位である被取付部を具備し、前記接地部の形状と前記被取付部の形状とを同一にしていることを特徴とする請求項１記載の観客席システム。
【請求項３】
前記第２の椅子の支柱の前記椅子本体を支持する部位である椅子本体支持部の形状及び床面からの高さ位置を、前記第１の椅子の支柱の前記椅子本体を支持する部位である椅子本体支持部の形状及び床面からの高さ位置とそれぞれ同一にしていることを特徴とする請求項２記載の観客席システム。
【請求項４】
床下空調システムとともに用いられ、前記床下空調システムの吹出し口の直上近傍に前記第２の椅子を配置していることを特徴とする請求項１、２又は３記載の観客席システム。
【請求項５】
前記第２の椅子の横架材と脚とを別体に構成しているとともに、前記脚の前記横架材に対する幅方向の相対位置を変更可能に構成していることを特徴とする請求項１、２、３及び４記載の観客席システム。
【請求項６】
前記第１の椅子の支柱の上端の床面からの高さ位置と、前記第２の椅子の支柱の上端の床面からの高さ位置とを略同一にしていることを特徴とする請求項１、２、３、４及び５記載の観客席システム。
【請求項７】
間欠的に設けられる複数の支柱と、前記支柱に両側端部を支持させた椅子本体と、前記椅子本体の下方に幅方向に延伸して設けられる横架材と、床面から起立して設けられ前記横架材を支持する脚とを具備し、該横架材により前記支柱を支持し、前記支柱を前記横架材に載置した状態で該支柱の取り付けを行うように構成しているとともに、
前記支柱が、その下端に前記横架材に支持される部位である被取付部を具備するとともに、前記被取付部の形状を、間欠的に複数設けられ、床体に固定して取り付けられる支柱に椅子本体の両側端部を支持させる構成を有する椅子の支柱の床体に支持される部位である接地部の形状と同一にしていることを特徴とする椅子。
【請求項８】
前記支柱の横架材への取付を行う部位である被取付部にネジ挿通孔を設け、前記ネジ挿通孔に雄ネジ部材を上方から挿し通してネジ止めを行うことにより、該支柱を前記横架材に取り付け可能に構成していることを特徴とする請求項７記載の椅子。
【請求項９】
前記支柱を、支柱取付部材を介して横架材に取り付けるようにしていることを特徴とする請求項７又は８記載の椅子。
【請求項１０】
前記支柱取付部材が、上方に開口し、前記横架材を略隙間なく収納可能に構成し、その上端の高さ位置が前記横架材の上端と略同じ又は前記横架材の上端より下方にある開口部と、前記支柱を取り付ける部位であり前記開口部上端から前後に突出させて設けている取付部とを有し、前記取付部にネジ挿通孔又は雌ネジ孔を前記支柱のネジ挿通孔に重合し得る位置に設け、前記支柱と前記支柱取付部材とをネジ作用により互いに固定するようにしているとともに、これら支柱及び支柱取付部材により前記横架材を挟んで固定するようにしていることを特徴とする請求項９記載の椅子。
【請求項１１】
前記横架材と前記脚とを別体に構成しているとともに、前記脚の前記横架材に対する幅方向の相対位置を変更可能に構成していることを特徴とする請求項６、７、８、９又は１０記載の椅子。
【請求項１２】
前記脚が、床面から起立して設けられる脚本体と、前記脚本体の上端に設けられ、前記横架材を嵌め込むように構成した横架材取付部とを具備することを特徴とする請求項１１記載の椅子。
【発明の詳細な説明】
【０００１】
【発明の属する技術分野】
本発明は、劇場等に用いられる観客席システム及び椅子に関する。
【０００２】
【従来の技術】
従来、劇場等に用いられる椅子として、床体に支柱を固定して設け、椅子本体の側端部をこの支柱に支持させる構成のものが考えられている。このような椅子は、床体上に所定間隔をあけて支柱を立設し、この支柱の支持基部を床体上にボルト等により定着させられたもので、支柱間に椅子本体を配設して支持させている。（例えば特許文献１参照。）なお、前記特許文献１においては、床体は床、支柱は支持体、椅子本体は座及び背凭れとしてそれぞれ記載されている。また、この種の椅子は、前記特許文献１にも記載があるように、座のライジング動作が可能であることが多い。そして、このような構成を、簡単な構成で実現できるメリットや、安価に実現できるのメリット等により、劇場等においては、この種の椅子のみを用いた観客席システムが広く採用されている。
【０００３】
【特許文献１】
特開平７−１９４４６３号公報（第３頁、第１図、第３図、第４図）
【０００４】
【発明が解決しようとする課題】
ところが、上述した構成の椅子は、椅子本体の側端部を支柱に支持させているので、最低でも椅子本体の個数より１つだけ多い本数の支柱が必要である。床下に空調設備を設ける際に、前記支柱の存在により吹出し口を効果的な箇所に設置することが不可能である場合や、支柱により空気の流れが妨げられる場合があり、これらの場合、効率的な空調ができなくなる不具合が存在する。さらに、その他の床下設備を設ける場合にも、同様に支柱を避けて設置しなければならなくなることにより効果的な箇所に設置できなくなる不具合が存在する。
【０００５】
本発明は、以上に述べた課題を解決し、床下設備を効果的に配置することを図るべく構成するものである。
【０００６】
【課題を解決するための手段】
すなわち本発明に係る観客席システムは、間欠的に複数設けられ床体に固定して取り付ける支柱に椅子本体の両側端部を支持させて構成される第１の椅子と、間欠的に設けられる複数の支柱と、前記支柱に両側端部を支持させた椅子本体と、前記椅子本体の下方に幅方向に延伸して設けられる横架材と、床面から起立して設けられ前記横架材を支持する脚とを具備し、該横架材により前記支柱を支持し、前記支柱を前記横架材に載置した状態で該支柱の取り付けを行う構成を有する第２の椅子とを併用することを特徴とする。
【０００７】
このように構成すれば、椅子本体の個数よりも１つだけ多い本数の支柱を床体に取り付ける必要がある第１の椅子と異なり、前記第２の椅子は支柱の本数自体は第１の椅子と同一であるものの、この支柱よりも少ない本数の脚を床体に取り付ける構成にできるので、前記第１の椅子を主に使用しつつ、床下空調の吹出し口やその他の床下設備を設けたい箇所に、床体に取り付ける箇所を少なくできる前記第２の椅子を配置するようにできる。すなわち、観客席をより安価に構成したい等の理由で前記第１の椅子を主に用いる態様において、床体に取り付けられる支柱の存在により効果が妨げられるような床下空調やその他の床下設備の設置箇所にのみ前記第２の椅子を配置して、前記第１の椅子を主に用いつつ効果的に床下設備を設けることができるようになる。
【０００８】
前記第１の椅子の支柱が、その下端に床体に支持される部位である接地部を具備するとともに、前記第２の椅子の支柱が、その下端に前記横架材に支持される部位である被取付部を具備し、前記接地部の形状と前記被取付部の形状とを同一にしているものであれば、部材及び製造工程の共通化を図ることができ、したがって第２の椅子の製造コストの低減を図ることができるようになる。
【０００９】
前記第２の椅子の支柱の前記椅子本体を支持する部位である椅子本体支持部の形状及び床面からの高さ位置を、前記第１の椅子の支柱の前記椅子本体を支持する部位である椅子本体支持部の形状及び床面からの高さ位置とそれぞれ同一にしているものであれば、部材及び製造工程のさらなる共通化を図ることができるようになり、前記第２の椅子の製造コストのさらなる低下を図ることができる。また、椅子本体支持部の床面からの高さ位置を同一にしているので、椅子本体の構成を同一のものにすれば椅子本体部分の外観を完全に一致させることができ、見栄えの向上を図ることもできる。
【００１０】
床下空調システムとともに用いられ、前記床下空調システムの吹出し口の直上近傍に前記第２の椅子を配置しているものであれば、前記第２の椅子の脚を前記床下空調システムの吹出し口を避けて設置するようにして、効率的な空調を実現することができる。
【００１１】
前記第２の椅子の横架材と脚とを別体に構成しているとともに、前記脚の前記横架材に対する幅方向の相対位置を変更可能に構成しているものであれば、座席配置を換えることなく最も効果的な位置に床下空調の吹出し口やその他の床下設備を設け、しかる後に前記第２の椅子の脚の固定位置を設定するようにできるようになる。すなわち、床下空調の吹出し口やその他の床下設備の設置の自由度をさらに高めることができる。
【００１２】
前記第１の椅子の支柱の上端の床面からの高さ位置と、前記第２の椅子の支柱の上端の床面からの高さ位置とを略同一にしているものであれば、前記第２の椅子の支柱が前記第１の椅子の支柱と同一の構成を有することと合わせて、前記第１の椅子の外観と前記第２の椅子の外観とをさらに統一することができ、更なる見栄えの向上を図ることができる。
【００１３】
上述した観客席システムに好適に用いられる椅子として、間欠的に設けられる複数の支柱と、前記支柱に両側端部を支持させた椅子本体と、前記椅子本体の下方に幅方向に延伸して設けられる横架材と、床面から起立して設けられ前記横架材を支持する脚とを具備し、該横架材により前記支柱を支持し、前記支柱を前記横架材に載置した状態で該支柱の取り付けを行うように構成しているとともに、前記支柱が、その下端に前記横架材に支持される部位である被取付部を具備するとともに、前記被取付部の形状を、間欠的に複数設けられ、床体に固定して取り付けられる支柱に椅子本体の両側端部を支持させる構成を有する椅子の支柱の床体に支持される部位である接地部の形状と同一にしているものが挙げられる。
【００１４】
このような椅子の支柱を従来の椅子の支柱の床体への取り付けと同様の取付工程により横架材に取り付けるようにするには、前記支柱の下端にネジ挿通孔を有する被取付部を設け、前記ネジ挿通孔に雄ネジ部材を上方から挿し通してネジ止めを行うことにより、該支柱を前記横架材に取り付け可能に構成すればよい。従来の椅子の支柱は、下端部にネジ挿通孔を有する接地部を有し、この接地部のネジ挿通孔を床体に設けたアンカーの雌ねじ孔と重合させて雄ネジ部材を上方から挿し通してネジ止めを行うことにより床体に固定して取り付ける構成のものが多いからである。
【００１５】
前記支柱を、支柱取付部材を介して横架材に取り付けるようにしているものであれば、前記支柱の奥行き寸法が前記横架材の奥行き寸法より大きいものであっても、前記支柱取付部材の奥行き寸法を前記支柱に対応させて設定することにより、前記支柱を前記横架材に安定して取り付けることができる。
【００１６】
このような支柱を横架材に取り付ける簡単な構成として、前記支柱取付部材が、上方に開口し、前記横架材を略隙間なく収納可能に構成し、その上端の高さ位置が前記横架材の上端と略同じ又は前記横架材の上端より下方にある開口部と、前記支柱を取り付ける部位であり前記開口部上端から前後に突出させて設けている取付部とを有し、前記取付部にネジ挿通孔又は雌ネジ孔を前記支柱のネジ挿通孔に重合し得る位置に設け、前記支柱と前記支柱取付部材とをネジ作用により互いに固定するようにしているとともに、これら支柱及び支柱取付部材により前記横架材を挟んで固定するようにしているものが挙げられる。このようなものであれば、上述したような床体に設けたアンカーに支柱をネジ止めする構成と略同様の工程により支柱を横架材に取り付ける構成を実現できる。
【００１７】
より効果的に床下空調の吹出し口やその他の床下設備を設けることができるようにするには、前記横架材と前記脚とを別体に構成しているとともに、前記脚の前記横架材に対する幅方向の相対位置を変更可能に構成すればよい。このように構成すれば、座席配置を変更することなく最も効果的な位置に床下空調の吹出し口やその他の床下設備を設け、しかる後に前記脚の固定位置を設定するようにできるからである。
【００１８】
前記横架材に対する幅方向の相対位置を変更可能な脚を簡単な構成で実現できる構成として、前記脚が、床面から起立して設けられる脚本体と、前記脚本体の上端に設けられ、前記横架材を嵌め込むように構成した横架材取付部とを具備するものが挙げられる。このように構成すれば、前記横架材取付部に横架材を嵌め込んだまま脚を椅子の幅方向に移動させることもできるようになる。
【００１９】
【発明の実施の形態】
以下、本発明の一実施形態を、図面を参照して説明する。
【００２０】
本実施形態に係る観客席システムは、正面図を図１に示すように、第１の椅子Ｃ１と、第２の椅子Ｃ２とをともに用い、その床下に床下設備たる床下空調システムＡＣを設けている。そして、この床下空調システムＡＣの吹出し口ＡＣ１の直上近傍に前記第２の椅子Ｃ２、その他の箇所に前記第１の椅子Ｃ１を配置するようにしている。なお、以下の説明において、第１の椅子Ｃ１又は第２の椅子Ｃ２に着座する着座者が向かう方向を前方とする。
【００２１】
前記第１の椅子Ｃ１は、正面図を図２、側面図を図３に示すように、床体に固定して取り付ける支柱１と、この支柱１に両側端部を支持させている複数の椅子本体２とを具備し、従来劇場等に用いられているこの種の椅子と同様に構成されている。
【００２２】
具体的には、前記椅子本体２は、本実施形態では座２１及び背２２を具備する。さらに詳述すると、前記座２１は、左右両側端にそれぞれ幅寸法を増す方向に突出させて設けた取付軸２１１を具備し、この取付軸２１１を中心に回転させることにより、座面が上向きをなす使用位置と、座面が後向きをなす収納位置との間でライジング動作可能に構成していている。また、前記背２２は、その両側端を背取付部材２２１に支持させていて、この背取付部材２２１を介して前記支柱１に支持させている。
【００２３】
一方、前記支柱１は、三面図を図４に示すように、その下端部に板状をなし、前後両端近傍にネジ挿通孔１１ａを有する接地部１１を具備するとともに、この接地部１１の中央部から前記椅子本体２を支持する支柱本体１２を起立させて設けている。前記図４において、（ａ）は正面図、（ｂ）は側面図、（ｃ）は平面図である。本実施形態では、前記図３に示すように、前記支柱本体１２の下端に前記接地部１１を熔接して設けていて、従来劇場等に用いられているこの種の椅子と同様に、この接地部１１のネジ挿通孔１１ａと床体に設けた図示しないアンカーの雌ネジ孔とを重合させ、雄ネジ部材Ｂ１を前記ネジ挿通孔１１ａに挿し通し、前記雌ネジ孔にネジ止めして床体に固定するようにしている。また、支柱本体１２の側面の高さ方向中間部には、椅子本体２を支持する椅子本体支持部たる座支持部１２１を設けている。この座支持部１２１は、具体的には、前記座２１の取付軸２１１を収納する取付軸収納部１２１ａと、この取付軸収納部を前方、後方、及び上方から被覆する被覆部１２１ｂとを具備する。この支柱１への座２１の取り付けは、前記座取付部１２１ａに座２１の取付軸２１１を取り付けて行うようにしている。そして、座２１を前記取付軸２１１を中心に回転させることにより、座２１が前記ライジング動作を行うように構成している。一方、支柱本体１２の側面の後部には、前記背取付部材２２１を取り付けるための背取付雌ネジ孔１２ｘを形成している。そして、この支柱本体１２の上端には、肘当部材取付具１２３を介して肘当部材１２２を設けている。また、この支柱１は、その前方及び側方にカバー１３を設け、外部から隠蔽するようにしている。このカバー１３は、図３に示すように、雄ネジ部材Ｂ２を介して支柱１に取り付けられる。なお、両端に位置する支柱１は、前記座支持部１２１及び背取付雌ネジ孔１２ｘを内側面にのみ設けている。また、この支柱１は、本実施形態では互いに前記椅子本体２の幅寸法に略一致させて設定した所定間隔を設けて設置している。
【００２４】
しかして、前記第２の椅子Ｃ２は、正面図を図５、側面図を図６にそれぞれ示すように、間欠的に設けられる複数の支柱３と、前記支柱３に両側端部を支持させ、上述した第１の椅子に用いた椅子本体２と同一の構成を有する複数の椅子本体２と、前記椅子本体２の下方に幅方向に延伸して設けられる横架材４と、床面から起立して設けられ前記横架材４を支持する２本の脚５とを具備するものであって、前記横架材４により前記支柱３を支持し、前記支柱３を前記横架材４に載置した状態で該支柱３の取り付けを行う構成を有する。そして、前記支柱３が、その下端に前記横架材４に支持される部位である被取付部３１を具備し、前記被取付部３１の形状を、前記第１の椅子Ｃ１の支柱１の前記接地部１１の形状と同一にしている。
【００２５】
具体的には、前記支柱３は、本実施形態では、三面図を図７に示すような形状をなすとともに、前記図６、及び前記図５におけるｘ−ｘ断面図である図８に示すように、ネジ挿通孔５１２ａを有する支柱取付部材５１を介して横架材５に取り付けるようにしている。前記図７において、（ａ）は正面図、（ｂ）は側面図、（ｃ）は平面図である。そして、その下端部に板状をなし、前後両端近傍にネジ挿通孔３１ａを有する被取付部３１を備え、この被取付部３１ａの中央部から前記椅子本体４を支持する支柱本体３２を起立させて設けている。具体的には、前記支柱本体３２の下端に前記被取付部３１を熔接して設けていて、前記被取付部３１の形状を、上述した第１の椅子Ｃ１に用いた支柱１の接地部１１の形状と同一に形成している。また、支柱本体３２の側面の下部には、椅子本体４を支持する椅子本体支持部たる座支持部３２１を設けている。一方、支柱本体３２の側面の後部には、前記背４２を取り付ける部材である図示しない背取付部材を取り付けるための背取付雌ネジ孔３２ｘを形成している。そして、この支柱本体３２の上端には、図３に示すように、肘当部材３２２を設けている。前記座支持部３２１、背取付雌ネジ孔３２ｘ、及び肘当部材３２２は、いずれも第１の椅子Ｃ１に用いた座支持部１２１、背取付部１２ｘ、及び肘当部材１２２と同一の形状を有し、床面からの高さ寸法を第１の椅子Ｃ１に用いたものと同一に設定している。すなわち、この支柱３は、第１の椅子Ｃ１の支柱１の支柱本体１２と比較して、長さ寸法を前記横架材５の上端の床面からの高さ寸法だけ短くした支柱本体３２を用いているとともに、前記座支持部３２１及び背取付雌ネジ孔３２ｘの支柱本体３２の上端からの高さ位置を、第１の椅子Ｃ１の座支持部１２１及び背取付部１２ｘの支柱本体１２の上端からの高さ位置と同一に設定して取り付けている。そして、上述した第１の椅子Ｃ１の支柱１への椅子本体２の取りつけと全く同様にして、この支柱３に椅子本体２を取り付ける。また、この支柱３は、その前方及び側方にカバー３３を設け、外部から隠蔽するようにしている。このカバー３３の支柱３への取りつけ構造も、上述した第１の椅子Ｃ１の支柱１へのカバー１３の取りつけ構造と同一である。さらに、両端に位置する支柱３２は、第１の椅子Ｃ１と同様に、前記座支持部３２１及び背取付雌ネジ孔３２ｘを内側面にのみ設けている。なお、本実施形態では、この支柱３もまた、互いに前記椅子本体２の幅寸法に略一致させて設定した所定間隔を設けて設置していて、この所定間隔を前記第１の椅子Ｃ１と一致させている。また、前記図８において、椅子本体４及びカバー３３は、省略して示している。
【００２６】
前記横架材４は、前記図１、図５、及び図６に示すように、前記座２１の下方に幅方向に延伸して設けられ、本実施形態では略矩形状の断面形状を有するパイプ状の部材を利用し、その長さ寸法をこの第２の椅子Ｃ２の幅寸法と略一致させて形成している。また、前記図８に示すように、前記支柱３を支柱取付部材４１を介して支持しているとともに、前記支柱３をこの横架材４に載置した状態で該支柱３の取り付けを行うようにしている。前記支柱取付部材４１は、上方に開口し、前記横架材を略隙間なく収納可能な開口部４１１と、前記支柱３を取り付ける部位であり前記開口部４１１の上端から前後に突出させて設けている取付部４１２とを有する。そして、前記取付部４１２にネジ挿通孔４１２ａを前記支柱３の被取付部３１に設けたネジ挿通孔３１ａに重合し得る位置に設け、前記支柱３と前記支柱取付部材４１とを雄ネジ部材Ｂ３及び雌ネジ部材Ｎ３を用いてネジ作用により互いに固定するようにしているとともに、これら支柱３及び支柱取付部材４１により前記横架材４を挟んで固定するようにしている。なお、前記横架材４の奥行き寸法は、本実施形態では前記被取付部３１の奥行き寸法より小さく、また、前記支柱取付部材４１の奥行き寸法は、本実施形態では前記被取付部３１の奥行き寸法と略一致させているとともに、その開口部４１１の内法の奥行き寸法を前記横架材４の奥行き寸法と略一致させ、さらに前記開口部４１１の深さ寸法は前記横架材４の高さ寸法と略一致させている。
【００２７】
前記脚６は、本実施形態では、前記図５、前記図６、及び前記図５におけるｙ−ｙ断面図である図９に示すように、床面に取り付けるように構成しているベース５１１と該ベース５１１から起立して設けられる脚支柱５１２とを有する脚本体５１と、前記脚本体５１の上端に設けられ前記横架材４を嵌め込むように構成した横架材取付部５２とを具備し、前記横架材４をその端部近傍において支持している。前記ベース５１１は、本実施形態では奥行き方向に延伸する形状をなし、その前後両端近傍に床体に設けた図示しないアンカーに固定するためのネジ挿通孔５１１ａを設けている。前記脚支柱５１２は、本実施形態では前記ベース５１１の奥行き方向中央部から起立して設けられる脚支柱本体５１２ａと、後方に開口したチャネル状をなし、この脚支柱本体５１２ａの前方に高さ寸法の略全域に亘って取り付けられる補強材５１２ｂとからなる。前記脚支柱本体５１２ａ及び補強材５１２ｂは、本実施形態では前記ベース５１１に熔接により固定して取り付けられている。前記横架材取付部５２は、後方に開口するチャネル状の部材を利用して形成され、横架材取付部５２ａに前記横架材を嵌め込むようにして取り付けるようにしている。さらに、上下両面の前記横架材４の後端に対応する位置にネジ挿通孔５２ｂを設け、雄ネジ部材Ｂ４を前記ネジ挿通孔５２ｂに挿通させ、雌ネジ部材Ｎ４により前記雄ネジ部材Ｂ４を固定することにより、前記横架材４の後端がこの雄ネジ部材Ｂ４に対向するようにし、前記横架材４の前後動を規制している。なお、前記図９において、椅子本体４は省略して示している。
【００２８】
以上に述べたように、本実施形態においては、劇場等に広く用いられている従来の椅子と同様の構成を有する前記第１の椅子Ｃ１と、脚５に支持させた横架材４に支柱３を支持させ、椅子本体２をこの支柱３に支持させる第２の椅子Ｃ２とを併用しているので、床下設備の都合等により第１の椅子Ｃ１の支柱１を多数設けると不具合が起こる箇所に第２の椅子Ｃ２を配置することにより、床下設備を効果的に配置することができる。さらに、それ以外の箇所には第１の椅子Ｃ１を配置しているので、このような構成を安価に実現することができる。
【００２９】
特に、床下空調ＡＣの吹出し口ＡＣ１近傍に第２の椅子Ｃ２を配置することにより、空調を効率的に行うことができる。
【００３０】
また、第１の椅子Ｃ１の支柱１の接地部１１の形状と、第２の椅子Ｃ２の支３柱の被取付部３１の形状とを同一にしているので、同一の部材をこれら接地部１１及び被取付部３１に共用でき、部材の共通化を図ることができる。
【００３１】
さらに、第１の椅子Ｃ１の支柱１の座取付部１２１の形状と、第２の椅子Ｃ２の支柱３の座取付部３２１の形状とを同一にしているので、これらの支柱１、３を支柱本体１２、３２の長さ寸法以外同一に構成することができ、この点からも部材の共通化を図ることができる。加えて、第１の椅子Ｃ１の支柱１の座取付部１２１の床面からの高さ位置と、第２の椅子Ｃ２の支柱３の座取付部３２１の床面からの高さ位置とを同一にし、さらに前記第１の椅子Ｃ１の支柱１の上端の床面からの高さ位置と前記第２の椅子Ｃ２の支柱３の上端の床面からの高さ位置とを同一にしているので、第１の椅子Ｃ１と第２の椅子Ｃ２の外観を、横架材５よりも上方の部分に関して統一することができ、見栄えの向上を図ることができる。
【００３２】
加えて、前記第２の椅子の横架材４と脚５とを別体に構成しているとともに、前記脚５の前記横架材４に対する幅方向の相対位置を変更可能にしているので、第２の椅子の椅子本体２の位置は変更せずに脚５を床下空調ＡＣの吹出し口ＡＣ１等の床下設備を避けて配置するようにでき、床下設備の更なる効果的な配置を図ることができる。また、前記脚５に、床面から起立して設けられる脚本体５１と、前記脚本体５１の上端に設けられ前記横架材４を嵌め込むように構成した横架材取付部５２とを具備させているので、脚５の前記横架材４に対する幅方向の相対位置を簡単に変更できる。
【００３３】
また、前記第２の椅子Ｃ２の支柱３の被取付部３１にネジ挿通孔３１ａを設けていて、このネジ挿通孔に雄ネジ部材Ｂ３を上方から挿し通してネジ止めを行い、この支柱３を横架材４に取り付けるようにしているので、第１の椅子Ｃ１の支柱１の床体への取付工程と同様の工程によりこの支柱３を横架材４に取り付けることができる。
【００３４】
さらに、前記支柱３を支柱取付部材４１を介して横架材４に取り付けるようにしているとともに、支柱取付部材４１の奥行き寸法を支柱３と略一致させているので、横架材４の奥行き寸法がこの支柱３よりも小さいにもかかわらず、支柱３を横架材４に安定して取り付けることができる。
【００３５】
前記支柱取付部材４１が、上方に開口し、前記横架材を略隙間なく収納可能な開口部４１１と、前記支柱３を取り付ける部位であり前記開口部４１１の上端から前後に突出させて設けている取付部４１２とを有し、前記取付部４１２にネジ挿通孔４１２ａを前記支柱３の被取付部３１に設けたネジ挿通孔３１ａに重合し得る位置に設け、前記支柱３と前記支柱取付部材４１とを雄ネジ部材Ｂ３及び雌ネジ部材Ｎ３を用いてネジ作用により互いに固定するようにしているとともに、これら支柱３及び支柱取付部材４１により前記横架材４を挟んで固定するようにしているので、以上に述べた横架材４への支柱３の取付構造を簡単な構成で実現できる。
【００３６】
なお、本発明は以上に述べた実施形態に限られない、
例えば、配線コンセント等、床下空調の吹出し口以外の床下設備を配置している箇所の直上近傍に第２の椅子を配置するようにしてもよい。
【００３７】
また、前記第２の椅子の支柱の横架材への取付構造は、上述した実施形態において述べた以外のものであってもよい。例えば、横架材の奥行き寸法を支柱の被取付部と略一致させるか又は前記被取付部よりも大きくするとともに、横架材に雌ねじ穴又は固定ナット等を用いた雌ねじ部材を形成し、被取付部に形成したネジ挿通孔に挿し通した雄ねじ部材を前記雌ねじ部材にネジ止めする態様や、上述した実施形態における支柱取付部材と支柱の被取付部とのネジ止めを下方から行うような態様が考えられる。また、支柱取付部材の奥行き寸法を支柱よりも大きくする態様も考えられる。
【００３８】
さらに、横架材を支持する脚は、必要に応じて、横架材の中央部に１本だけ設けてもよく、また、椅子本体の個数を越えない範囲で３本以上設けるようにしてもよい。また、この脚は横架材と一体に形成してもよく、横架材の所定箇所に熔接やネジ止め等により相対位置を変更不可能に取り付けるようにしてもよい。
【００３９】
加えて、支柱取付部材の開口部の深さは、横架材の高さ寸法よりも小さくしてもよい。このようなものであっても、該支柱取付部材にネジ挿通孔を設けるとともに、支柱の被取付部のネジ挿通孔に挿し通した雄ネジ部材をこのネジ挿通孔にも挿し通し、このネジ挿通孔の下方に設けた雌ネジ部材にネジ止めして、支柱と支柱取付部材との間に相寄る方向にネジの緊締力を作用させて支柱と支柱取付部材と横架材とを互いに固定することはできる。また、支柱取付部材の開口部の深さが横架材の高さ寸法と同一である場合及び横架材の高さ寸法より小さい場合のいずれにおいても、雌ネジ部材を用いる代わりに、支柱取付部材に雌ネジ孔を設けても支柱と支柱取付部材との間に相寄る方向にネジの緊締力を作用させることができるので、同様の効果は得られる。
【００４０】
そして、第１の椅子と第２の椅子の支柱の上端や椅子本体取付部の床面からの高さ寸法を異なるものにする態様や、第１の椅子の支柱の接地部と第２の椅子の被取付部とを異なる形状に構成した態様であっても、第２の椅子の脚を支柱よりも少ない本数にし、設置する箇所を少なくして床下設備を効果的に配置できる効果を実現することはできる。加えて、この効果を実現するためには、必ずしも第１の椅子と第２の椅子の椅子本体を同一に構成する必要はない。
【００４１】
その他、本発明の趣旨を損ねない範囲で、種々に変形してよい。
【００４２】
【発明の効果】
本発明に係る観客席システムは、床体に支柱を固定している第１の椅子と、床体から起立して設けられる脚に支持させた横架材に支柱を支持させている第２の椅子とを併用しているので、第１の椅子のみを用いた従来の観客席システムと比較して椅子の脚を少なくでき、床下空調の吹出し口等、床下設備を効果的に配置することができるようになる。また、第２の椅子を床下設備の配置箇所の直上近傍のみに配置し、その他の箇所に第１の椅子を配置するようにすれば、コスト上の理由などにより第１の椅子を主に利用する際に、床下設備を効果的に配置する構成を実現することができるようになる。
【図面の簡単な説明】
【図１】本発明の一実施形態に係る観客席システムの正面図。
【図２】同実施形態に係る第２の椅子の正面図。
【図３】同実施形態に係る第２の椅子の側面図。
【図４】同実施形態に係る第１の椅子の支柱を示す図。
【図５】同実施形態に係る第２の椅子の正面図。
【図６】同実施形態に係る第２の椅子の側面図。
【図７】同実施形態に係る第２の椅子の支柱を示す図。
【図８】図５におけるｘ−ｘ断面図。
【図９】図５におけるｙ−ｙ断面図。
【符号の説明】
Ｃ１…第１の椅子
Ｃ２…第２の椅子
１…支柱（第１の椅子の支柱）
１１…接地部
２…椅子本体
３…支柱（第２の椅子の支柱）
３１…被取付部
３１ａ…ネジ挿通孔
３２１…座支持部（椅子本体支持部）
４…横架材
４１…支柱取付部材
４１１…開口部
４１２…取付部
４１２ａ…ネジ挿通孔
５…脚
ＡＣ…床下空調
ＡＣ１…床下空調の吹出し口
【図１】
2004166928.tif 000003
【図２】
2004166928.tif 000004
【図３】
2004166928.tif 000005
【図４】
2004166928.tif 000006
【図５】
2004166928.tif 000007
【図６】
2004166928.tif 000008
【図７】
2004166928.tif 000009
【図８】
2004166928.tif 000010
【図９】
2004166928.tif 000011